(57)【要約】【課題】  横長の落下防止部材を、収納部開口を横断する落下防止位置と、収納部開口を全面的に開放する退避位置とに位置変更自在に構成した物品落下防止装置の安全性を高める。【解決手段】  落下防止部材３の左右両端部に、上下一対の横杆部７ａ，７ｂとこれらの外端部同士を連結杆部７ｃで繋いだ係止部７を備え、収納部開口２の左右に設けられたブラケット４に、係止部７における一方の横杆部７ａを係入支持する上下長孔８を形成するとともに、この上下長孔８の上部に、係止部７における他方の横杆部７ｂを上方から係脱する上向き開放の凹部９を形成し、一方の横杆部７ａを上下長孔８に係入支持させるとともに、他方の横杆部７ｂを凹部９に係入支持することで落下防止部材３を落下防止位置に保持し、一方の横杆部７ａを上下長孔８に係入支持させた状態で他方の横杆部７ｂを凹部９から手前側に離脱させて落下防止部材３を退避位置に吊り下げ保持する。【選択図】        図１
2005137651.tif 000002
【特許請求の範囲】
【請求項１】
収納棚における収納部開口の前部に配備される横長の落下防止部材を、前記収納部開口を横断する落下防止位置と、収納部開口を全面的に開放する退避位置とに位置変更自在にしてある物品落下防止装置であって、
前記落下防止部材の左右両端部に、上下一対の横杆部とこれらの外端部同士を連結杆部で繋いだ係止部を備え、収納棚における収納部開口の左右両端部に取付けたブラケットに、前記係止部における一方の横杆部を係入支持する上下長孔を形成するとともに、この上下長孔の上部に、前記係止部における他方の横杆部を上方から係脱する上向き開放の凹部を形成し、
一方の横杆部を上下長孔に係入支持させるとともに、他方の横杆部を凹部に係入支持することで落下防止部材を収納部開口を横断する落下防止位置に保持し、一方の横杆部を上下長孔に係入支持させた状態で他方の横杆部を凹部から手前側に離脱させて落下防止部材を退避位置に吊り下げ保持することを特徴とする物品落下防止装置。
【請求項２】
請求項１記載の物品落下防止装置であって、
棒材をコの字状に屈曲して前記係止部を形成してあることを特徴とする物品落下防止装置。
【請求項３】
請求項１または２記載の物品落下防止装置であって、
前記落下防止部材に左右一連の横長棒材からなる落下防止部材本体を備えるとともに、この落下防止部材本体の左右両端を屈曲して前記係止部を一体形成してあることを特徴とする物品落下防止装置。
【請求項４】
請求項２記載の物品落下防止装置であって、
前記落下防止部材本体に、収納部開口の幅に相当する長さの物品受け部材を付設してあることを特徴とする物品落下防止装置。
【請求項５】
請求項１ないし４のいずれかに記載の物品落下防止装置であって、
前記落下防止部材が落下防止位置にある時、落下防止部材の物品受止め部を前記係止部における一対の横杆部よりも収納部開口側に突出させ、落下防止部材の一部が収納部開口に入り込むことを特徴とする物品落下防止装置。
【発明の詳細な説明】
【技術分野】
【０００１】
本発明は、本棚や薬品棚などのような各種の収納棚に収納された物品が地震によって落下するのを防止するための装置に関する。
【背景技術】
【０００２】
上記物品落下防止装置としては、支柱で支持された棚板の物品出し入れ用端部の近くに帯板状の落下防止板を略鉛直に起立させ、この起立する物品落下防止位置で棚板からの物品落下を防止するとともに、落下防止板を棚板の前面下方に鉛直に吊り下げた非作用位置に移動させて物品の出し入れの邪魔をさせないようにした物品落下防止装置において、支柱に取付けたブラケットの逆Ｕ字状ガイド溝部で落下防止板の両端部を支持し、落下防止板の物品落下防止位置から逆Ｕ字状に移動軌跡で手前上方から上下を逆にしながら手前下方へと倒して非作用位置に移動させ、逆の動きで非作用位置から物品落下防止位置に移動させるように構成したものが提案されている（例えば、特許文献１参照）。
【特許文献１】特開２００３−１５９１３６号公報
【発明の開示】
【発明が解決しようとする課題】
【０００３】
上記した物品落下防止装置は、落下防止板の上下移動操作と上下反転回動操作によって落下防止板を物品落下防止位置と非作用位置とに簡単に手動で移動させることができるものであるが、落下防止板における両端部の上下位置に、落下防止板を物品落下防止位置と非作用位置に保持するために丸棒ピンからなる第１係止部および第２係止部が横外方に向けて突設されて、左右のブラケットに係止されるようになっていたために、第２の係止部をブラケットにおける逆Ｕ字状ガイド溝部の下端に係止して落下防止板を非作用位置に吊り下げ保持した状態では第１の係止部が、横外方に突出した状態のままで露出することになり、落下防止板を非作用位置にしておく物品出し入れ時に、落下防止板の左右両端から突き出ている第１係止部の先端に物品や人が触れて損傷あるいは負傷するおそれがあった。
【０００４】
本発明は、このような実情に着目してなされたものであって、落下防止部材の支持構造に改良を加えることで、この種の物品落下防止装置の安全性を高いものにすることを主たる目的とするものである。
【課題を解決するための手段】
【０００５】
上記目的を達成するために、本発明は以下のように構成した。
【０００６】
第１の発明は、収納棚における収納部開口の前部に配備される横長の落下防止部材を、前記収納部開口を横断する落下防止位置と、収納部開口を全面的に開放する退避位置とに位置変更自在にしてある物品落下防止装置であって、前記落下防止部材の左右両端部に、上下一対の横杆部とこれらの外端部同士を連結杆で繋いだ係止部を備え、収納棚における収納部開口の左右両端部に取付けたブラケットに、前記係止部における一方の横杆部を係入支持する上下長孔を形成するとともに、この上下長孔の上部に、前記係止部における他方の横杆部を上方から係脱する上向き開放の凹部を形成し、一方の横杆部を上下長孔に係入支持させるとともに、他方の横杆部を凹部に係入支持することで落下防止部材を収納部開口を横断する落下防止位置に保持し、一方の横杆部を上下長孔に係入支持させた状態で他方の横杆部を凹部から手前側に離脱させて落下防止部材を退避位置に吊り下げ保持することを特徴とする。
【０００７】
この構成によると、収納棚の収納部開口に物品を出し入れする際には、落下防止部材の左右両端における係止部の一方の横杆部をブラケットの上下長孔に係入支持させた状態で他方の横杆部をブラケット凹部から離脱させ、落下防止部材を手前側に倒し込んで退避位置に吊り下げ保持しておく。
【０００８】
この場合、凹部から離脱されて自由状態にある他方の横杆部は露出することになるが、その外端部は連結杆を介して一方の横杆部に連なっているので、ここに物品や人が接触しても損傷あるいは負傷することはない。
【０００９】
また、物品の出し入れが終わると、落下防止部材を上下長孔に係入支持させた他方の横杆部を中心に振上げながら落下防止部材全体を持上げ、一方の横杆部をブラケット凹部の上方にまで回り込ませ、その後、落下防止部材全体を下げることで一方の横杆部を凹部に係入することで、落下防止部材を上下左右の四点支持状態で落下防止位置に安定保持することができる。
【００１０】
従って、第１の発明によると、この種の物品落下防止装置を、落下防止部材が退避位置にあって一方の横杆部が露出している状態でも安全に使用することができる。
【００１１】
第２の発明は、上記第１の発明において、棒材をコの字状に屈曲して前記係止部を形成してあることを特徴とする。
【００１２】
この構成によると、ブラケットに作用する一対の横杆部とこれの外端部同士を繋ぐ連結杆部を単一の棒材の曲げ加工によって簡単安価に形成することができ、安全性に優れた係止部を安価に製作することができる。
【００１３】
第３の発明は、上記第１または２の発明において、前記落下防止部材に左右一連の横長棒材からなる落下防止部材本体を備えるとともに、この落下防止部材本体の左右両端を屈曲してコの字状の前記係止部を一体形成してあることを特徴とする。
【００１４】
この構成によると、落下防止部材本体と左右の係止部を単一の棒材で構成するので、一層安価に実施できる。また、地震発生時に収納した物品を落下防止部で受け止める際に、落下防止部材に働く衝撃的な負荷荷重を落下防止部材と一連の係止部を介してブラケットで受止めることができるので、係止部が負荷荷重によって損傷して脱落するようなおそれが全くなく、落下防止機能を高い信頼性をもって維持することができる。
【００１５】
第４の発明は、上記第３の発明において、前記落下防止部材本体に、収納部開口の幅に相当する長さの物品受け部材を付設してあることを特徴とする。
【００１６】
この構成によると、収納する物品に応じて物品受け部材の大きさや形状を任意に選択することができ、第３の発明の上記効果をもたらすとともに、物品を損傷しない落下防止機能を発揮させることが容易となる。
【００１７】
第５の発明は、上記第１ないし４のいずれかの発明において、前記落下防止部材が落下防止位置にある時、落下防止部材の物品受止め部を前記係止部における一対の横杆部よりも収納部開口側に突出させ、落下防止部材の一部が収納部開口に入り込むことを特徴とする。
【００１８】
この構成によると、落下防止部材が落下防止位置にある時、物品受け部材が収納部開口に入り込んで収容した物品に近づくことになり、地震発生時に外へ移動する物品が移動距離少なく、つまり、衝撃少なく物品受け部材に受止めることができ、物品の落下防止機能のみならず物品の損傷防止機能をも発揮する。
【発明を実施するための最良の形態】
【００１９】
以下、本発明の実施例を図面に基づいて説明する。
【００２０】
図１に、本発明に係る物品落下防止装置を装着した収納棚の一部が示されている。この収納棚１は、例えば、鋼材製のアングル材や角パイプ材を組上げた棚枠１ａに、適当上下間隔をもって鋼板あるいは木材からなる棚板１ｂを装着して構成されたものであり、各収納段ごとにその収納部前面に位置させて物品落下防止装置Ａが取付けられている。
【００２１】
この物品落下防止装置Ａは、上下の棚板間に形成された収納部開口２の前部に配備される横長の落下防止部材３と、この落下防止部材３を左右から支持するよう棚枠１ａにおける左右の支柱前面にボルト締め固定されるブラケット４とから構成されている。
【００２２】
前記落下防止部材３は、例えば、金属棒からなる落下防止部材本体５に、断面Ｌ形の物品受け部材６を収納部開口２の横幅に相当する範囲に亘って溶接固定して構成されており、落下防止部材本体５の左右両端部が屈曲されて左右のブラケット４に対する係止部７が構成されている。
【００２３】
前記係止部７は、遊端側となる一方の横杆部７ａと基端側となる他方の横杆部７ｂの外端部同士を上下方向に向かう連結杆部７ｃで繋いだコの字状に屈曲形成され、左右の係止部７が互いに内向きに対向するよう設けられている。
【００２４】
前記ブラケット４には、図４にも示されるように、遊端側の横杆部７ａを外側から挿入して係止する上下長孔８が形成されるとともに、その上方には、基端側の横杆部７ｂを上方から係入支持する凹部９が形成されている。
【００２５】
本発明の物品落下防止装置Ａは以上のように構成されたものであり、物品収納状態では、図１中における下段の収納部、および、図２に示すように、落下防止部材３における左右係止部７の遊端側の横杆部７ａをブラケット４の上下長孔８に係入支持させた状態で基端側の横杆部７ｂをブラケット４の凹部９に係入することで、落下防止部材３を収納部開口２を横断する落下防止位置に安定保持することができる。
【００２６】
この場合、物品受け部材６を断面Ｌ形の部材で構成してあるので、落下防止部材３が落下防止位置にある時、物品受け部材６が収納部開口２に入り込んで収容した物品に近づくことになり、地震発生時に外へ移動する物品が移動距離少なく、つまり、衝撃少なく物品受け部材６に受止められることになる。
【００２７】
物品を出し入れする際には、図３中の矢印線で示すように、先ず、落下防止部材３を上方に持上げて基端側の横杆部７ｂを凹部９から離脱させ、引き続き落下防止部材３を手前に回動させながら下方に移動させ、遊端側の横杆部７ａを上下長孔８の下端に係支させた状態でに吊り下げることで、落下防止部材３を棚板１ｂの前方に重複した状態、つまり、収納部開口２を開放した退避位置に保持しておくことができる。
【００２８】
また、物品の出し入れが終わると、落下防止部材３を上下長孔８に係入支持させた遊端側の横杆部７ａを中心に振上げながら落下防止部材３を持上げ、基端側の横杆部７ｂを凹部９の上方にまで回り込ませ、その後、落下防止部３を下げて基端側の横杆部７ｂを凹部９に係入支持させることで上記落下防止位置に戻すことができる。
【実施例】
【００２９】
本発明は、以下のような形態で実施することもできる。
【００３０】
（１）図５に示すように、物品受け部材６の受け辺に沿ってゴム製のモール１１を嵌め付け装着しておくと、物品を傷付けることなく受止めることができる。
【００３１】
（２）図６に示すように、物品受け部材６の断面形状は収納した物品に対応して任意に設定することができる。
【００３２】
（３）図７に示すように、落下防止部材本体５に物品受け部材６を取付けない単純な仕様で実施することもできる。
【００３３】
（４）図８に示すように、落下防止部材３を、板材からなる横長の落下防止部材本体５の左右両端に、棒材を屈曲した係止部７を溶接固定して構成することで、係止部７を閉ループ状にしてその強度を高めることもできる。なお、この構成の場合には、一方の横杆部をブラケットの上下長孔に挿通係止するために、ブラケットを棚枠から外すと上下長孔が開放できるように構成しておくと、落下防止部材とブラケットを別体として取扱い組付け分解することができる。
【図面の簡単な説明】
【００３４】
【図１】収納棚の一部を示す斜視図である。
【図２】物品落下防止状態にある物品落下防止装置の縦断側面図である。
【図３】退避状態にある物品落下防止装置の縦断側面図である。
【図４】落下防止部材の一部とブラケットを示す斜視図である。
【図５】他の実施例の物品落下防止部材の一部を示す斜視図である。
【図６】他の実施例の物品落下防止部材の一部を示す斜視図である。
【図７】他の実施例の物品落下防止部材を落下防止位置にセットした状態を示す斜視図である。
【図８】他の実施例の物品落下防止部材の一端部とブラケットを示す斜視図である。
【符号の説明】
【００３５】
１            収納棚
２            収納部開口
３            落下防止部材
４            ブラケット
５            落下防止部材本体
６            物品受け部材
７            係止部
７ａ          横杆部
７ｂ          横杆部
７ｃ          連結杆部
８            上下長孔
９            凹部
【図１】
2005137651.tif 000003
【図２】
2005137651.tif 000004
【図３】
2005137651.tif 000005
【図４】
2005137651.tif 000006
【図５】
2005137651.tif 000007
【図６】
2005137651.tif 000008
【図７】
2005137651.tif 000009
【図８】
2005137651.tif 000010